(57)【要約】【課題】  途中からチャットメールのグループに参加した場合でも、グループ内で既に送受信されているチャットメールデータをすべて表示可能な移動通信システムを提供する。【解決手段】  携帯電話機＃１，＃２はチャットメールのグループ設定を行い、それらの間でメールサーバを介してチャットメール送受信が行われると、携帯電話機＃１，＃２にはそれぞれ送受信したチャットメールデータが端末内のメモリに保存されて表示される。携帯電話機＃３は携帯電話機＃１，＃２間のチャットメールのグループに途中から参加する場合、まずチャットメールのグループ設定を行う。携帯電話機＃１は携帯電話機＃３にそれまでのチャットメールデータを表示させるため、メモリ内に蓄積しているチャットメールデータを携帯電話機＃３に転送する。携帯電話機＃３はそのデータをメモリに保存して表示する。【選択図】      図７                                                  
2005266986.tif 000002
【特許請求の範囲】
【請求項１】
予めグループとして設定された複数の携帯電話機間でチャットメールの送受信を行う移動通信システムであって、前記グループ内で送受信される複数のチャットメールを保持するメモリ手段と、前記チャットメールへの途中参加の携帯電話機が前記グループに登録された時にそれ以前に前記グループ内で送受信された複数のチャットメールを１つのメールデータとして前記途中参加の携帯電話機に送信する手段とを前記複数の携帯電話機各々に有することを特徴とする移動通信システム。
【請求項２】
前記１つのメールデータとして受信した複数のチャットメールを前記メモリ手段に保持しかつ前記チャットメールの履歴として表示する手段を前記複数の携帯電話機各々に含むことを特徴とする請求項１記載の移動通信システム。
【請求項３】
前記１つのメールデータとして前記途中参加の携帯電話機に送信する際に、当該メールデータが予め設定された所定量を超えた時に前記所定量以下のメールデータに分割することを特徴とする請求項１または請求項２記載の移動通信システム。
【請求項４】
同じグループとして予め設定された他の端末との間でチャットメールの送受信を行う携帯電話機であって、前記グループ内で送受信される複数のチャットメールを保持するメモリ手段と、前記チャットメールへの途中参加の端末が前記グループに登録された時にそれ以前に前記グループ内で送受信された複数のチャットメールを１つのメールデータとして前記途中参加の端末に送信する手段とを有することを特徴とする携帯電話機。
【請求項５】
前記１つのメールデータとして受信した複数のチャットメールを前記メモリ手段にに保持しかつ前記チャットメールの履歴として表示する手段を含むことを特徴とする請求項４記載の携帯電話機。
【請求項６】
前記１つのメールデータとして前記途中参加の端末に送信する際に、当該メールデータが予め設定された所定量を超えた時に前記所定量以下のメールデータに分割することを特徴とする請求項４または請求項５記載の携帯電話機。
【請求項７】
予めグループとして設定された複数の携帯電話機間でチャットメールの送受信を行う移動通信システムにおいて前記チャットメールのデータ転送を制御するチャットメールデータ転送制御方法であって、前記複数の携帯電話機各々の側に、前記グループ内で送受信される複数のチャットメールをメモリ手段に保持するステップと、前記チャットメールへの途中参加の携帯電話機が前記グループに登録された時にそれ以前に前記グループ内で送受信された複数のチャットメールを１つのメールデータとして前記途中参加の携帯電話機に送信するステップとを前記有することを特徴とするチャットメールデータ転送制御方法。
【請求項８】
前記複数の携帯電話機各々の側に、前記１つのメールデータとして受信した複数のチャットメールを前記メモリ手段に保持しかつ前記チャットメールの履歴として表示するステップを含むことを特徴とする請求項７記載のチャットメールデータ転送制御方法。
【請求項９】
前記１つのメールデータとして前記途中参加の携帯電話機に送信する際に、当該メールデータが予め設定された所定量を超えた時に前記所定量以下のメールデータに分割することを特徴とする請求項７または請求項８記載のチャットメールデータ転送制御方法。
【請求項１０】
予めグループとして設定された複数の携帯電話機間でチャットメールの送受信を行う移動通信システムにおいて前記チャットメールのデータ転送を制御するチャットメールデータ転送制御方法のプログラムであって、コンピュータに、前記グループ内で送受信される複数のチャットメールをメモリ手段に保持する処理と、前記チャットメールへの途中参加の携帯電話機が前記グループに登録された時にそれ以前に前記グループ内で送受信された複数のチャットメールを１つのメールデータとして前記途中参加の携帯電話機に送信する処理とを実行させるためのプログラム。
【発明の詳細な説明】
【技術分野】
【０００１】
本発明は移動通信システム、携帯電話機及びそれらに用いるチャットメールデータ転送制御方法並びにそのプログラムに関し、特に携帯電話機間のチャットメールデータの転送方法に関する。
【背景技術】
【０００２】
チャットは、インタネット経由でメッセージの送受信を行う機能のひとつで、複数の接続者が同時に会話をするようにメッセージのやり取りを行い、複数の相手の発信内容（発信履歴）を見ながら、自分の発言を送信することができる。
【０００３】
ＰＣ（パーソナルコンピュータ）端末等で使用されるチャットを行う際のシステム構成を図１２に示す。図１２において、インタネットサーバはインタネット網１００に接続されかつチャット等を制御するインタネットサーバ３とチャットデータを記憶するチャットデータ記憶部４とから構成されている。各ＰＣ端末５−１〜５−３はインタネット網１００を経由してインタネットサーバ３に接続され、インタネットサーバ３を介してＰＣ端末５−１〜５−３間でチャットデータの送受信を行う。
【０００４】
ＰＣ端末５−１がチャットデータを送信する方法を図１３に示す。図１３において、ＰＣ端末５−１がチャットデータを送信すると、チャットデータはインタネット網１００を経由してインタネットサーバ３へ送信される。
【０００５】
インタネットサーバ３はＰＣ端末５−１からのチャットデータを受信すると、チャットデータをチャットデータ記憶部４へ保存し、チャットデータ記憶部４からこれまでのすべてのチャットデータを読出し、チャット一覧データを作成してＰＣ端末５−１へ送信する。
【０００６】
ＰＣ端末５−２，５−３が最新チャットデータを取得する方法を図１４に示す。図１４において、ＰＣ端末５−２，５−３が最新チャットデータをインタネットサーバ３に要求すると、インタネットサーバ３は最新のチャットデータをチャットデータ記憶部４から読出し、チャット一覧データを作成してＰＣ端末５−２，５−３に送信する。ＰＣ端末５−２，５−３は受信したチャット一覧データを使用して最新のチャットデータを表示する。
【０００７】
各ＰＣ端末５−１〜５−３がチャットデータを発信すると、そのチャットデータはインタネットサーバ３を経由してチャットデータ記憶部４に蓄積される。各ＰＣ端末５−１〜５−３は必要に応じてインタネットサーバ３へ最新チャットデータを要求することで、チャットデータ記憶部４に蓄積されたすべてのチャットデータを一覧にして受信することができる。
【０００８】
チャットデータ記憶部４にはすべてのチャットデータが保存されているため、途中からチャットに参加した人も、すべてのチャットデータを受信して表示することができる。
【０００９】
現在、携帯電話機に搭載しているチャットメール機能は、チャットメールデータをインタネット網１００経由で送受信し、各携帯電話機のメモリに保存している。このチャットメールを送受信する携帯電話機のシステム構成を図１５を用いて説明する。
【００１０】
図１５において、メールサーバ７は携帯電話機６−１から受信したメールを、メールの宛先になっている携帯電話機６−２，６−３に送信する機能を有している。携帯電話機６−１〜６−３はインタネット網１００を経由してメールサーバ７へチャットメールデータを送信する。メールサーバ７は宛先の携帯電話機６−２，６−３のメールアドレスへチャットメールデータを送信する。
【００１１】
携帯電話機６−１から携帯電話機６−２，６−３へチャットメールデータを送信する処理について図１５を参照して説明する。携帯電話機６−１はチャットメールデータを携帯電話機６−２，６−３へ送信するために、チャットメールデータをインタネット網１００を経由してメールサーバ７へ送信する。
【００１２】
携帯電話機６−１は送信チャットメールデータを自機のメモリ（図示せず）に保存する。メールサーバ７は携帯電話機６−１から送信されたチャットメールデータを、宛先である携帯電話機６−２，６−３へインタネット網１００を経由して送信する。
【００１３】
携帯電話機６−２，６−３は携帯電話機６−１から送信されたチャットメールデータを受信し、その受信したチャットメールデータを自機のメモリに保存する。携帯電話機６−１〜６−３のチャットメール機能ではチャットメールを送受信したタイミングで、送受信したチャットメールを各携帯電話機６−１〜６−３のメモリに保存し、表示データを最新に更新している。
【００１４】
尚、この携帯電話機を用いたチャットメールにおいても、上記のＰＣ端末を用いるシステムと同様に、管理サーバが発信されたチャットメールの処理を行う方法も提案されている（例えば、特許文献１参照）。
【００１５】
【特許文献１】特開２００２−１４９５７８号公報
【発明の開示】
【発明が解決しようとする課題】
【００１６】
しかしながら、携帯電話機に搭載しているチャットメールでは、ＰＣ端末等で使われるチャットメールと異なり、チャットデータをチャットデータ記憶部に保存しないため、途中からチャットメールに参加した人がそれまでのグループ内で送受信されたチャットメールを表示することができないという問題がある。
【００１７】
つまり、携帯電話機のチャットメール機能では、表示を更新するタイミングで、チャットメールデータを毎回サーバから受信するのではなく、携帯電話機内のメモリに保存しているチャットメールデータを表示するため、途中からチャットメールに参加した人がそれまでのグループ内で送受信されたチャットメールを表示することができないという問題がある。
【００１８】
携帯電話機のチャットメール機能では、送受信したチャットメールデータを各携帯電話機内のメモリに保存し、保存したチャットメールデータを表示しており、また送信済みのチャットメールを再送することができないため、途中からチャットメールのグループに参加した携帯電話機がそれまでグループ内で送受信されているチャットメールデータを表示することができない。
【００１９】
そこで、本発明の目的は上記の問題点を解消し、途中からチャットメールのグループに参加した場合でも、グループ内で既に送受信されているチャットメールデータをすべて表示することができる移動通信システム、携帯電話機及びそれらに用いるチャットメールデータ転送制御方法並びにそのプログラムを提供することにある。
【課題を解決するための手段】
【００２０】
本発明による移動通信システムは、予めグループとして設定された複数の携帯電話機間でチャットメールの送受信を行う移動通信システムであって、前記グループ内で送受信される複数のチャットメールを保持するメモリ手段と、前記チャットメールへの途中参加の携帯電話機が前記グループに登録された時にそれ以前に前記グループ内で送受信された複数のチャットメールを１つのメールデータとして前記途中参加の携帯電話機に送信する手段とを前記複数の携帯電話機各々に備えている。
【００２１】
本発明による携帯電話機は、同じグループとして予め設定された他の端末との間でチャットメールの送受信を行う携帯電話機であって、前記グループ内で送受信される複数のチャットメールを保持するメモリ手段と、前記チャットメールへの途中参加の端末が前記グループに登録された時にそれ以前に前記グループ内で送受信された複数のチャットメールを１つのメールデータとして前記途中参加の端末に送信する手段とを備えている。
【００２２】
本発明によるチャットメールデータ転送制御方法は、予めグループとして設定された複数の携帯電話機間でチャットメールの送受信を行う移動通信システムにおいて前記チャットメールのデータ転送を制御するチャットメールデータ転送制御方法であって、前記複数の携帯電話機各々の側に、前記グループ内で送受信される複数のチャットメールをメモリ手段に保持するステップと、前記チャットメールへの途中参加の携帯電話機が前記グループに登録された時にそれ以前に前記グループ内で送受信された複数のチャットメールを１つのメールデータとして前記途中参加の携帯電話機に送信するステップとを備えている。
【００２３】
本発明によるチャットメールデータ転送制御方法のプログラムは、予めグループとして設定された複数の携帯電話機間でチャットメールの送受信を行う移動通信システムにおいて前記チャットメールのデータ転送を制御するチャットメールデータ転送制御方法のプログラムであって、コンピュータに、前記グループ内で送受信される複数のチャットメールをメモリ手段に保持する処理と、前記チャットメールへの途中参加の携帯電話機が前記グループに登録された時にそれ以前に前記グループ内で送受信された複数のチャットメールを１つのメールデータとして前記途中参加の携帯電話機に送信する処理とを実行させている。
【００２４】
すなわち、本発明の移動通信システムは、チャットメールのグループに参加していた携帯電話機が、途中からチャットメールのグループに参加した携帯電話機へ参加する前にグループ内で送受信しているチャットメールデータを転送するようにしている。
【００２５】
つまり、本発明の移動通信システムでは、途中からチャットメールのグループに参加した携帯電話機の利用者が、グループ内の携帯電話機において既に送受信されているチャットメールデータを、既存のグループ内の携帯電話機から転送してもらうことで、今まで送受信されたチャットメールをすべて表示することが可能となる。
【００２６】
より具体的に述べると、本発明の移動通信システムでは、携帯電話機のチャットメール機能において、途中からチャットメールのグループに参加した携帯電話機の利用者がグループ内で既に送受信されているチャットメールを表示するために、今まで送受信されたチャットメールデータを新たに参加した携帯電話機に一括して転送する機能を有している。
【００２７】
チャットメールのグループを第１の携帯電話機及び第２の携帯電話機の２台に設定し、チャットメール送受信を行うと、第１の携帯電話機及び第２の携帯電話機双方は、送受信したチャットメールデータをそれぞれ端末内のメモリに保存して表示する。
【００２８】
第３の携帯電話機はチャットメールのグループに途中から参加した携帯電話機であり、参加した時にはそれまでに第１及び第２の携帯電話機間で行われていたチャットメールデータをメモリに保存していない。
【００２９】
第３の携帯電話機に上記の第１及び第２の携帯電話機間のチャットメールデータを表示させるため、第１の携帯電話機または第２の携帯電話機はメモリに蓄積された第１及び第２の携帯電話機間のチャットメールデータを第３の携帯電話機に転送する。
【００３０】
第３の携帯電話機は第１及び第２の携帯電話機間のチャットメールデータを受信することで、第１の携帯電話機及び第２の携帯電話機が送受信したチャットメールデータをメモリに保存して表示することが可能となる。
【００３１】
現在の携帯電話機に搭載しているチャットメール機能では、途中からチャットメールのグループに加わった携帯電話機が、グループに加わる以前に送受信されていたチャットメールを保存及び表示することができない。
【００３２】
これに対し、本発明の移動通信システムでは、途中からチャットメールのグループに参加した利用者の携帯電話機が、グループ内で既に送受信されているチャットメールデータを既存のグループ参加者の携帯電話機から転送してもらうことで、今まで送受信されたチャットメールをすべて表示するが可能となる。
【発明の効果】
【００３３】
本発明は、以下に述べるような構成及び動作とすることで、途中からチャットメールのグループに参加した場合でも、グループ内で既に送受信されているチャットメールデータをすべて表示することができるという効果が得られる。
【発明を実施するための最良の形態】
【００３４】
次に、本発明の実施例について図面を参照して説明する。図１は本発明の一実施例による携帯電話機の構成を示すブロック図である。図１において、携帯電話機１はアンテナ１１と、無線部１２と、制御部１３と、表示部１４と、操作部１５と、音声処理部１６と、スピーカ１７と、マイク１８とから構成されており、制御部１３はＣＰＵ（中央処理装置）１３ａと、メモリ１３ｂとを備えている。
【００３５】
携帯電話機１は制御部１３の制御によって無線部１２とアンテナ１１とを介して図示せぬ基地局と通信を行う。無線部１２はアンテナ１１にて受信した信号を、受信したい信号周波数を選択して周波数変換を行い、その受信した信号を増幅して復調し、受信データとして制御部１３に出力する。制御部１３は受信データを処理し、音声信号として音声処理部１６に出力する。音声処理部１６は音声信号をアナログ信号に変えてスピーカ１７から音声として出力する。
【００３６】
また、マイク１８から入力された音声は音声処理部１６にてディジタル信号に変換されて制御部１３に出力され、制御部１３はその信号を処理し、送信データとして無線部１２に出力する。無線部１２は送信データを変調して規定の周波数の搬送波として増幅し、その送信データをアンテナ１１から送信する。
【００３７】
一方、制御部１３は操作部１５からの入力を監視し、ユーザの操作が行われたことを検出すると、その操作に基づいた処理を行う。表示部１６は制御部１３の制御によって各種表示を行う。
【００３８】
メモリ１３ｂは携帯電話機１を制御するプログラムやデータの書込みまたは読込みに利用する記憶領域である。ＣＰＵ１３ａはメモリ１３ｂのプログラムを実行することで、携帯電話機１の各種機能を実現するための制御を行う。尚、本発明の一実施例によるチャットメールデータの送受信もＣＰＵ１３ａによって制御される。
【００３９】
図２は本発明の一実施例による移動通信システムの構成を示すブロック図である。図２において、本発明の一実施例による移動通信システムは携帯電話機１−１〜１−３と、携帯電話機１−１〜１−３がインタネット網１００を介して接続されるメールサーバ２とから構成されている。
【００４０】
メールサーバ２はインタネット網１００を経由して携帯電話機１−１〜１−３との通信を行う。携帯電話機１−１は他の携帯電話機１−２，１−３にチャットメールデータを送信するため、チャットメールデータをインタネット網２０２を経由してメールサーバ２に送信する。
【００４１】
メールサーバ２は任意の携帯電話機１−１から送信されてきたチャットメールを受信すると、宛先の携帯電話機１−２に送信する機能を有している。チャットメールの宛先が複数の場合には、そのチャットメールを複数の携帯電話機１−２，１−３に送信する機能をも有している。
【００４２】
尚、携帯電話機１−１〜１−３の構成は上記の携帯電話機１と同様となっているので、その説明は省略する。また、メールサーバ２の構成及びその制御はＳＭＴＰ（Ｓｉｍｐｌｅ  Ｍａｉｌ  Ｔｒａｎｓｆｅｒ  Ｐｒｏｔｏｃｏｌ）等を用いるメールサーバと同様であり、その構成や動作は公知であるので、その説明を省略する。
【００４３】
図３〜図６は本発明の一実施例によるチャットメールの転送動作を示す図であり、図７は本発明の一実施例によるチャットメールの転送動作を示すシーケンスチャーとである。これら図１〜図７を参照して途中からチャットメールのグループに参加した人へデータ転送する際の動作について説明する。
【００４４】
尚、以下の説明ではその内容を簡単化するために、２台の携帯電話機１−１，１−２間でチャットが行われている際に、携帯電話機１−３が途中参加する場合について述べているが、そのチャット可能な台数としては、３台以上がチャットを行っている時に２台以上の携帯電話機が参加する場合にも適用可能である。
【００４５】
まず、２台の携帯電話機（＃１）１−１と携帯電話機（＃２）１−２とにそれぞれチャットメールのグループ設定［携帯電話機（＃１）１−１または携帯電話機（＃２）１−２各々のメールアドレス等の設定］が行われる（図７のａ１，ａ２）。尚、グループ設定は携帯電話機（＃１）１−１及び携帯電話機（＃２）１−２各々の利用者が手動でその都度設定してもよいが、予めメモリに記憶しておいてもよい。
【００４６】
それらの間でメールサーバ２を介してチャットメール送受信が行われると（図７のａ３，ａ５，ａ７，ａ９）、携帯電話機（＃１）１−１及び携帯電話機（＃２）１−２にはそれぞれ送受信したチャットメールデータが端末内のメモリ（図１のメモリ１３ｂ）に保存されて表示される（図３参照）（図７のａ４，ａ６，ａ８，ａ１０）。
【００４７】
携帯電話機（＃３）１−３は２台の携帯電話機（＃１）１−１と携帯電話機（＃２）１−２との間のチャットメールのグループに途中から参加する場合、まず携帯電話機（＃３）１−３はチャットメールのグループ設定［携帯電話機（＃１）１−１及び携帯電話機（＃２）１−２各々のメールアドレス等の設定］を行う（図７のａ１１）。この場合、携帯電話機（＃３）１−３には、グループに参加した時点で、それまでに携帯電話機（＃１）１−１と携帯電話機（＃２）１−２との間で行われていたチャットメールデータがメモリに保存されていない（図４参照）。
【００４８】
そこで、携帯電話機（＃１）１−１［もしくは携帯電話機（＃２）１−２］は携帯電話機（＃３）１−３にそれまでのチャットメールデータを表示させるため、メモリ内に蓄積しているチャットメールデータを携帯電話機（＃３）１−３に転送する（図５参照）（図７のａ１７，ａ１８）。
【００４９】
この場合、携帯電話機（＃３）１−３はグループに途中参加したことを、メールサーバ２を介して携帯電話機（＃１）１−１と携帯電話機（＃２）１−２とに通知するので（図７のａ１２，ａ１３，ａ１５）、携帯電話機（＃１）１−１及び携帯電話機（＃２）１−２には携帯電話機（＃３）１−３のグループ参加が登録される（図７のａ１４，ａ１６）。
【００５０】
携帯電話機（＃３）１−３は携帯電話機（＃１）１−１［もしくは携帯電話機（＃２）１−２］からメモリ内に蓄積されているチャットメールデータが送信されてくると、そのチャットメールデータを受信し、そのチャットメールデータをメモリに保存して表示する（図６参照）（図７のａ１９）。
【００５１】
図８及び図９は本発明の一実施例による移動通信システムの動作を示す図である。図８及び図９は携帯電話機１−１，１−２を利用してチャットメールを行っていた２人のグループに、途中から３人目が加わった場合の動作を示している。
【００５２】
図８（ａ）は携帯電話機１−１．１−２のグループ設定を示し、図８（ｂ）は携帯電話機１−１．１−２間のチャットメールＡの送信を示し、図８（ｃ）は携帯電話機１−１．１−２間のチャットメールＢの送信を示している。
【００５３】
図９（ａ）は携帯電話機１−３の途中参加による携帯電話機１−１〜１−３のグループ再設定を示し、図９（ｂ）は携帯電話機１−１〜１−３間のチャットメールデータの転送を示している。
【００５４】
携帯電話機１−１．１−２間でチャットメールを行う場合、携帯電話機１−１．１−２はチャットメールを行うためのグループ設定を各携帯電話機１−１，１−２に行う。このグループ設定はグループ全員の携帯電話機名称と、メールアドレスとを各携帯電話機１−１，１−２の端末内のメモリ（図１のメモリ１３ｂ）に登録する［図８（ａ）参照］。
【００５５】
グループ設定後、各携帯電話機が設定しているグループに対してチャットメールを送信すると、グループ設定に登録している全てのメールアドレスにメールサーバ２を介してチャットメールを送信することができる。
【００５６】
携帯電話機１−１がチャットメールのグループにチャットメールＡを送信すると、グループ設定に登録している携帯電話機１−２にチャットメールＡが送信されるため、携帯電話機１−１は送信したチャットメールＡを表示し、携帯電話機１−２は受信したチャットメールＡを表示する［図８（ｂ）参照］。
【００５７】
携帯電話機１−１はチャットメールＡを送信チャットメールとしてメモリに保存し、携帯電話機１−２はチャットメールＡを受信チャットメールとしてメモリに保存する。
【００５８】
携帯電話機１−２がチャットメールのグループにチャットメールＢを送信すると、グループ設定に登録している携帯電話機１−１にチャットメールＢが送信されるため、携帯電話機１−１はチャットメールＡの次に受信したチャットメールＢを表示し、携帯電話機１−２はチャットメールＡの次に送信したチャットメールＢを表示する［図８（ｃ）参照］。
【００５９】
携帯電話機１−１はチャットメールＢを受信チャットメールとしてメモリに保存し、携帯電話機１−２はチャットメールＢを送信チャットメールとしてメモリに保存する。
【００６０】
携帯電話機１−１と携帯電話機１−２との間でチャットメールＡとチャットメールＢとが送受信された後、携帯電話機１−３がチャットメールのグループに途中で加わると、携帯電話機１−３はグループ設定のため、携帯電話機１−１，１−２の携帯電話機名称とメールアドレスとをメモリに登録する。携帯電話機１−１，１−２はそれぞれ、携帯電話機１−３の携帯電話名称とメールアドレスとをメモリに追加登録し、グループ設定を再設定する。
【００６１】
この状態では、携帯電話機１−３はチャットメールデータＡとチャットメールデータＢとを保存していないため、今までにグループ内で送受信したチャットメールデータを表示することができない［図９（ａ）参照］。
【００６２】
携帯電話機１−３のグループ参加が通知されると、携帯電話機１−１は保存しているチャットメールデータＡとチャットメールデータＢとを携帯電話機１−３へメールサーバ２及びインタネット網１００経由で転送する。これによって、携帯電話機１−３は携帯電話機１−１と携帯電話機１−２とが送受信していたチャットメールＡとチャットメールＢとを受信チャットメールとしてメモリに保存することができる［図９（ｂ）参照］。
【００６３】
上記の転送処理によって、各携帯電話機１−１〜１−３はメモリにチャットメールデータＡとチャットメールデータＢとを保存するため、今までのグループ内で送受信したチャットメールをすべて表示することができる。
【００６４】
図１０は本発明の一実施例による携帯電話機１の転送メールの送信処理を示すフローチャートである。この図１０を参照して本発明の一実施例による携帯電話機１の転送メールの送信処理について説明する。尚、図１０に示す処理はＣＰＵ１３ａがメモリ１３ｂのプログラムを実行することで実現される。
【００６５】
使用者が携帯電話機１のチャットメール機能の起動を操作部１５を介して指示すると、ＣＰＵ１３ａはチャットメール機能の起動する（図１０ステップＳ１）。使用者がチャットを指示すると、ＣＰＵ１３ａは送信もしくは受信したチャットメールをメモリ１３ｂに格納し、表示部１４にチャットメールを表示する（図１０ステップＳ２）。
【００６６】
使用者が後から参加する別の携帯電話機の使用者に対してチャットメールを転送する場合、ＣＰＵ１３ａは使用者に対して転送可能なチャットメールを表示し、操作部１５からの指示に応じて転送するチャットメールを選択する（図１０ステップＳ３）。
【００６７】
ＣＰＵ１３ａは操作部１５からの指示に応じて選択したチャットメールデータから、各チャットメール本文とそのチャットメール送信者とを関連させて１つの送信メールに変換する（図１０ステップＳ４）。ＣＰＵ１３ａは送信メールへの変換後、使用者に対して転送先のメールアドレス設定を促す表示を行う（図１０ステップＳ５）。
【００６８】
使用者から操作部１５を介して転送先の携帯電話機メールアドレスを指定しての送信操作が行われると（図１０ステップＳ６）、ＣＰＵ１３ａはその送信メールをインタネット網１００を経由してメールサーバ２に送信する（図１０ステップＳ７）。
【００６９】
転送メールを受信した携帯電話機１−３ではチャットメールのグループ設定を行った後、チャットメール機能を起動し、通常の受信メール一覧から、受信した転送メールを選択することで、受信した転送メールに基づいたチャットメールの実施が可能となる。
【００７０】
現在の携帯電話機に搭載しているチャットメール機能では、途中からチャットメールのグループに加わった携帯電話機がグループに加わる以前に送受信されていたチャットメールを保存及び表示することができない。
【００７１】
これに対して、本実施例では、途中からチャットメールのグループに参加した携帯電話機１−３の利用者がグループ内で既に送受信されているチャットメールデータを既存のグループ参加者の携帯電話機１−１（もしくは携帯電話機１−２）から転送してもらうことで、今まで送受信されたチャットメールをすべて表示するができる。
【００７２】
図１１は本発明の他の実施例による携帯電話機の転送メールの送信処理を示すフローチャートである。本発明の他の実施例による携帯電話機は上記の図１に示す携帯電話機１と同様の構成となっている。そこで、図１及び図１１を参照して本発明の他の実施例による携帯電話機の転送メールの送信処理について説明する。尚、図１１に示す処理はＣＰＵ１３ａがメモリ１３ｂのプログラムを実行することで実現される。
【００７３】
本発明の他の実施例では、転送メールのバイト数がメールのバイト数制限を超えてしまう場合に、転送メールを分割して、文字制限の影響を受けずに送信することを特徴とする。ここで、本発明の他の実施例では、制限文字数を５００バイトとして説明する。
【００７４】
使用者が携帯電話機１のチャットメール機能の起動を操作部１５を介して指示すると、ＣＰＵ１３ａはチャットメール機能の起動する（図１１ステップＳ１１）。使用者がチャットを指示すると、ＣＰＵ１３ａは送信もしくは受信したチャットメールをメモリ１３ｂに格納し、表示部１４にチャットメールを表示する（図１１ステップＳ１２）。
【００７５】
使用者が後から参加する別の携帯電話機の使用者に対してチャットメールを転送する場合、ＣＰＵ１３ａは使用者に対して転送可能なチャットメールを表示し、操作部１５からの指示に応じて転送するチャットメールを選択する（図１１ステップＳ１３）。
【００７６】
ＣＰＵ１３ａは選択されたチャットメールデータから、各チャットメール本文とそのチャットメール送信者とを関連させて１つの送信メールに変換し、送信メールが５００バイトを超えていれば、送信メールを１メールが５００バイト以下となるように複数の送信メールに分割する（図１１ステップＳ１４）。
【００７７】
ＣＰＵ１３ａは送信メールへの変換後、使用者に対して転送先のメールアドレス設定を促す表示を行う（図１１ステップＳ１５）。使用者から操作部１５を介して転送先の携帯電話機メールアドレスを指定しての送信操作が行われると（図１１ステップＳ１６）、ＣＰＵ１３ａは分割した送信メールを、古いチャットメールを含む送信メールからインタネット網１００を経由してメールサーバ２に順次送信する（図１１ステップＳ１７）。
【００７８】
転送メールを受信した携帯電話機１−３ではチャットメールのグループを設定行った後、チャットメール機能を起動し、通常の受信メール一覧から複数の分割された受信メールを選択することで、受信した転送メールを基にチャットメールが実施可能となる。
【図面の簡単な説明】
【００７９】
【図１】本発明の一実施例による携帯電話機の構成を示すブロック図である。
【図２】本発明の一実施例による移動通信システムの構成を示すブロック図である。
【図３】本発明の一実施例によるチャットメールの転送動作を示す図である。
【図４】本発明の一実施例によるチャットメールの転送動作を示す図である。
【図５】本発明の一実施例によるチャットメールの転送動作を示す図である。
【図６】本発明の一実施例によるチャットメールの転送動作を示す図である。
【図７】本発明の一実施例によるチャットメールの転送動作を示すシーケンスチャーとである。
【図８】（ａ）〜（ｃ）は本発明の一実施例による移動通信システムの動作を示す図である。
【図９】（ａ），（ｂ）は本発明の一実施例による移動通信システムの動作を示す図である。
【図１０】本発明の一実施例による携帯電話機の転送メールの送信処理を示すフローチャートである。
【図１１】本発明の他の実施例による携帯電話機の転送メールの送信処理を示すフローチャートである。
【図１２】従来のＰＣ端末によるチャットメールを行うシステムの構成を示すブロック図である。
【図１３】従来のＰＣ端末によるチャットデータの送信方法を示す図である。
【図１４】従来のＰＣ端末が最新チャットデータを取得する方法を示す図である。
【図１５】従来のチャットメールを送受信する携帯電話機のシステム構成を示すブロック図である。
【符号の説明】
【００８０】
１，１−１〜１−３  携帯電話機
２  メールサーバ
１１  アンテナ
１２  無線部
１３  制御部
１３ａ  ＣＰＵ
１３ｂ  メモリ
１４  表示部
１５  操作部
１６  音声処理部
１７  スピーカ
１８  マイク
１００  インタネット網
【図１】
2005266986.tif 000003
【図２】
2005266986.tif 000004
【図３】
2005266986.tif 000005
【図４】
2005266986.tif 000006
【図５】
2005266986.tif 000007
【図６】
2005266986.tif 000008
【図７】
2005266986.tif 000009
【図８】
2005266986.tif 000010
【図９】
2005266986.tif 000011
【図１０】
2005266986.tif 000012
【図１１】
2005266986.tif 000013
【図１２】
2005266986.tif 000014
【図１３】
2005266986.tif 000015
【図１４】
2005266986.tif 000016
【図１５】
2005266986.tif 000017